(57)【要約】【課題】セキュリティを配慮した意味のない数字の羅列ではない暗証番号入力を実現する。【解決手段】ＣＰＵ１は、アルファベット付加キー９が押下された際にアルファベット付加の選択画面を液晶表示部４に表示し、この選択画面から３桁の数字が入力された際にＲＯＭ２を参照して３桁の数字に対応した表示パターンを読み出して液晶表示部４に表示し、この表示パターンの表示画面から暗証の言葉が入力された際に暗証番号を認識する。【選択図】図１
2005267442.tif 000002
【特許請求の範囲】
【請求項１】
暗証番号を入力する画面を表示し、
この表示された画面から数字以外の文字を用いた暗証番号入力が選択された際、数字以外の文字を用いた暗証番号入力を可能とする複数の表示パターンから予め設定された表示パターンを指定する指定画面を表示し、
この表示された指定画面から予め設定された表示パターンが指定された際、この指定された表示パターンを表示し、
この表示された表示パターンの表示画面から予め設定された数字以外の文字が入力された際、入力された数字以外の文字に対応する数字を上記表示パターンから認識し、
この認識された数字群を暗証番号として用いるようにしたことを特徴とする暗証番号入力方法。
【請求項２】
カードが入力された際、当該カードのＩＤを読み出し、
予め登録されている数字以外の文字を用いた暗証番号入力を可能とする複数の表示パターンから、上記読み出したＩＤに対応する予め指定されている表示パターンを読み出し、
この読み出された表示パターンを表示し、
この表示された表示パターンの表示画面から予め設定された数字以外の文字が入力された際、入力された数字以外の文字に対応する数字を上記表示パターンから認識し、
この認識された数字群を暗証番号として用いるようにしたことを特徴とする暗証番号入力方法。
【発明の詳細な説明】
【技術分野】
【０００１】
この発明は、たとえば銀行の現金自動預払装置の表示画面においてキャッシュカードの暗証番号を入力する暗証番号入力方法に関する。
【背景技術】
【０００２】
従来、銀行の現金自動預払装置におけるキャッシュカードの暗証番号としてカード所持者本人の生年月日が使われるケースが多く、盗難されたカードやスキミングされたカードの口座から不正に預金が引き出される事件が後を絶たない。
【０００３】
また、最近提案されている宅配荷物自動受付機などでも暗証番号を忘れたり、暗証番号を使う機会が多く、暗証番号を手帳に記録しておくことも出来ずセキュリティを確保するための暗証番号に振り回されることがあった。
【発明の開示】
【発明が解決しようとする課題】
【０００４】
上記したように、銀行の現金自動預払装置、あるいは宅配荷物自動受付機のように暗証番号を使用する機会が多く、暗証番号を覚えきれずに入力が困難になるという問題があった。
【０００５】
この発明の目的は、暗証番号を入力し易くした暗証番号入力方法を提供することである。
【課題を解決するための手段】
【０００６】
この発明の暗証番号入力方法は、暗証番号を入力する画面を表示し、この表示された画面から数字以外の文字を用いた暗証番号入力が選択された際、数字以外の文字を用いた暗証番号入力を可能とする複数の表示パターンから予め設定された表示パターンを指定する指定画面を表示し、この表示された指定画面から予め設定された表示パターンが指定された際、この指定された表示パターンを表示し、この表示された表示パターンの表示画面から予め設定された数字以外の文字が入力された際、入力された数字以外の文字に対応する数字を上記表示パターンから認識し、この認識された数字群を暗証番号として用いるようにしたことを特徴とする。
【発明の効果】
【０００７】
本発明の暗証番号入力方法は、意味のない数字の羅列ではない暗証番号入力を実現できるので容易に暗証番号を入力することを可能とする。
【発明を実施するための最良の形態】
【０００８】
以下、図面を参照して、この発明の実施の形態について詳細に説明する。
【０００９】
図１は、この発明の暗証番号入力方法に係る銀行の現金自動預払装置の概略構成を示すものである。すなわち、現金自動預払装置は、全体の制御を司るＣＰＵ１、プログラム等を記憶しているＲＯＭ２、情報を一時記憶するＲＡＭ３、タッチパネル５を有する液晶表示部４、当該装置の機構制御部６、及び上位機器２１と接続されるインターフェース（Ｉ／Ｆ）２０とから構成されている。
【００１０】
ＲＯＭ２には、不揮発性ＲＯＭであり、詳しくは後述するがアルファベット付加指示に応じて００１〜９９９の数字に対応した暗証番号とアルファベットとを組み合わせた表示パターンが予め記憶されている。
【００１１】
次に、このような構成において、第１実施例における液晶表示部４に表示する暗証番号入力動作を図２のフローチャートを参照して説明する。
【００１２】
まず、ＣＰＵ１は、液晶表示部４に、図３に示す暗証番号入力画面を表示する（ＳＴ１）。
【００１３】
図３に示す表示画面は、テンキー７と訂正キー８と共にアルファベット付加キー９が表示されている。
【００１４】
アルファベット付加キー９が押下された際（ＳＴ２）、ＣＰＵ１は、図４に示すアルファベット付加の選択画面を表示する（ＳＴ３）。
【００１５】
図４に示す選択画面は、アルファベット付加画面を選択するための３桁の数字入力部１０を表示するものである。
【００１６】
図５は、３桁の数字が入力された画面を示すもので、図では、「００１」が入力されている。
【００１７】
３桁の数字が入力された際（ＳＴ４）、ＣＰＵ１は、ＲＯＭ２を参照して３桁の数字に対応した表示パターンを読み出して液晶表示部４に表示する（ＳＴ５）。
【００１８】
図６は、３桁の数字００１に対応した表示画面例を示すものである。図において、たとえば、アルファベットＡまたはＢが押下された際、ＣＰＵ１は、暗証番号７が押下されたものと認識する。また、アルファベットＧまたはＨが押下された際、ＣＰＵ１は、暗証番号１が押下されたものと認識する。
【００１９】
図７は、３桁の数字００１に対応した表示画面の他の例を示すものである。この表示画面例では、数字を表示していないが、例えば、アルファベットＡまたはＢが押下された際、ＣＰＵ１は、暗証番号７が押下されたものと認識する。
【００２０】
図８は、３桁の数字１２３に対応した表示画面例を示すものである。この表示画面例では、アルファベットＡまたはＢが押下された際は暗証番号０が認識され、アルファベットＧまたはＨが押下された際は暗証番号８が認識される。
【００２１】
例えば、３桁の数字１２３が押下されて表示された表示パターンの液晶表示部４において、利用者が暗証の言葉（本実施例では、数字以外の文字を意味する）を「花」、ローマ字で「ＨＡＮＡ」と押下すると、暗証番号は「８０６０」と認識される。
【００２２】
ここまで説明したように、本発明は、選択される表示パターンは予め設定、もしくは予め選択したものであり、利用者が暗証の言葉を入力するのも、この予め設定もしくは予め選択された表示パターン上で入力する言葉（本実施例ではローマ字）に対応する数字群を、ＣＰＵ１が暗証番号と認識するものである。
【００２３】
そして、ステップＳＴ５の液晶表示部４の表示画面から暗証の言葉が入力された際（ＳＴ６）、ＣＰＵ１は、暗証番号を認識して照合し、照合結果に応じた処理を行う（ＳＴ７）。
【００２４】
以上説明したように上記第１実施例によれば、ローマ字を使った言葉で入力することにより、記憶し易く忘れにくくして暗証番号を容易に入力することができる。
【００２５】
なお、上記実施例では、「ローマ字」を使用したが「ひらがな」でも可能であり、要は暗証番号を数字の羅列ではなく覚え易い言葉に置き換えて入力できるようにすれば良い。
【００２６】
また、宅配荷物自動受付機などのように利用する人が限られている場合など、３桁の数字に対する表示パターンを登録するようにしても良い。つまり、予めＲＯＭ２に表示パターンを記憶させるのではなく、利用者が個々に３桁の数字を設定し、その数字に対する表示パターンを登録しておくようにしても良い。これにより、セキュリティ能力がさらに高まることになる。
【００２７】
次に、第２実施例について説明する。
【００２８】
第２実施例では、銀行の現金自動預払装置に必ず用いられるキャッシュカードを利用する。上記第１実施例では３桁の数字を入力して表示パターンを選択したが、本第２実施例では、このキャッシュカードが挿入された際、このキャッシュカードのＩＤに対応した表示パターンを読み出して表示する。
【００２９】
次に、第２実施例における液晶表示部４に表示する暗証番号入力動作を図９のフローチャートを参照して説明する。
【００３０】
ＣＰＵ１は、当該現金自動預払装置の図示しないキャッシュカード挿入口にキャッシュカードが挿入された際（ＳＴ２１）、当該キャッシュカードのＩＤを読み、インターフェース２０を介して上位機器２１に予め登録されている当該ＩＤに対応する表示パターンの選択番号（３桁の数字）を読み出す（ＳＴ２２）。そして、ＣＰＵ１は、ＲＯＭ２を参照して当該選択番号（３桁の数字）に対応した表示パターンを読み出して液晶表示部４に表示する（ＳＴ２３）。
【００３１】
ここまで説明したように、本発明は、キャッシュカードのＩＤに対応して予め指定、もしくは予め選択された表示パターンを表示するようにしたものであり、利用者が暗証の言葉を入力するのも、この予め設定もしくは予め選択された表示パターン上で入力する言葉（本実施例ではローマ字）に対応する数字群を、ＣＰＵ１が暗証番号と認識するものである。
【００３２】
このステップＳＴ２３の液晶表示部４の表示画面から暗証の言葉（本実施例では、数字以外の文字を意味する）が入力された際（ＳＴ２４）、ＣＰＵ１は、暗証番号を認識して照合し、照合結果に応じた処理を行う（ＳＴ２５）。
【００３３】
以上説明したように上記第２実施例によれば、挿入されたキャシュカードのＩＤに対応するアルファベット付加の表示パターンを表示することにより、記憶し易く忘れにくいローマ字を使った言葉を用いて暗証番号を容易に入力することができる。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３５】
【図１】この発明の暗証番号入力方法に係る銀行の現金自動預払装置の概略構成を示すブロック図。
【図２】第１実施例における暗証番号入力動作を説明するためのフローチャート。
【図３】液晶表示部の暗証番号の入力表示例を示す図。
【図４】液晶表示部における３桁の数字入力画面を示す図。
【図５】液晶表示部の３桁の数字が入力された表示画面を示す図。
【図６】液晶表示部に表示パターンを表示した例を示す図。
【図７】液晶表示部に表示パターンを表示した例を示す図。
【図８】液晶表示部に表示パターンを表示した例を示す図。
【図９】第２実施例における暗証番号入力動作を説明するためのフローチャート。
【符号の説明】
【００３６】
１…ＣＰＵ、２…ＲＯＭ、３…ＲＡＭ、４…液晶表示部、５…タッチパネル、６…機構制御部、７…テンキー、８…訂正キー、９…アルファベット付加キー、１０…３桁の数字入力部、２０…インターフェース、２１…上位機器。
【図１】
2005267442.tif 000003
【図２】
2005267442.tif 000004
【図３】
2005267442.tif 000005
【図４】
2005267442.tif 000006
【図５】
2005267442.tif 000007
【図６】
2005267442.tif 000008
【図７】
2005267442.tif 000009
【図８】
2005267442.tif 000010
【図９】
2005267442.tif 000011